(57)【要約】      （修正有）【課題】第１液晶層と第２液晶層との誘電率が異なるように誘電性を有する添加剤を含有しない場合に比べ、４色以上の色が表示される液晶表示素子を提供する。【解決手段】片面に第１電極１６Ａを有する第１基板１２と、片面に透明な第２電極１６Ｂを有し、第２電極１６Ｂが第１電極１６Ａに対向するように第１基板１２に対向配置された透明な第２基板１５と、液晶組成物を含有する第１液晶層２０Ａと、第１液晶層２０Ａよりも第２基板１５側に形成されたカラーフィルタ２１と、第１基板１２および第２基板１５によって挟まれた領域において、カラーフィルタ２１よりも第２基板側１５に形成され、液晶組成物を含有する第２液晶層２０Ｂと、を備え、第１液晶層２０Ａおよび第２液晶層２０Ｂの少なくとも一方に、第１液晶層２０Ａと第２液晶層２０Ｂとの誘電率が異なるように誘電性を有する添加剤を含有する液晶表示素子。【選択図】図１
2010224387.tif 000002
【特許請求の範囲】
【請求項１】
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有する第２液晶層と、
を備え、
前記第１液晶層および前記第２液晶層の少なくとも一方に、前記第１液晶層と前記第２液晶層との誘電率が異なるように誘電性を有する添加剤を含有する液晶表示素子。
【請求項２】
前記添加剤が、ＢａＴｉＯ３、ＳｒＴｉＯ３、ＣａＳｎＯ３、ＢａＳｎＯ３、ＢａＺｒＯ３、ＴｉＯ２、ＭｇＴｉＯ３、ＨｆＯ２およびロッシェル塩から選択される少なくとも一種である請求項１に記載の液晶表示素子。
【請求項３】
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有し、且つ前記第１液晶層とは誘電率が異なる第２液晶層と、
前記第１電極および前記第２電極に電圧を印加する電圧印加装置と、
を備え、
前記第１液晶層および前記第２液晶層の少なくとも一方が、誘電性を有する添加剤を含有してなる液晶表示装置。
【請求項４】
前記電圧印加装置によって印加される電圧の周波数を制御する周波数制御装置を備える請求項３に記載の液晶表示装置。
【請求項５】
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有し、且つ前記第１液晶層とは誘電率が異なる第２液晶層と、を備え、
前記第１液晶層および前記第２液晶層の少なくとも一方が、誘電性を有する添加剤を含有してなる液晶表示素子に対し、
前記第１電極および前記第２電極に印加する電圧の大きさを制御して求められる色の画像を表示する画像表示方法。
【請求項６】
前記第１電極および前記第２電極に印加する電圧の周波数を制御して求められる色の画像を表示する請求項５に記載の画像表示方法。
【発明の詳細な説明】
【技術分野】
【０００１】
本発明は、液晶表示素子、液晶表示装置および画像表示方法に関する。
【背景技術】
【０００２】
近年、パーソナルコンピュータの普及、インターネットを始めとする情報化社会の発達により、電子情報の一時的な閲覧を目的とする、いわゆる短寿命文書としての紙の消費は、益々増加する傾向にあり、森林資源保護などの地球環境保全や事務環境改善などの理由から、紙に代わる書き換え可能な液晶表示素子の実現が望まれている。
【０００３】
そこで、無電源でのメモリ性を有し、且つ外部装置によって短時間で画像を書き換えることができる紙に代わる液晶表示素子として、液晶を用いた液晶表示素子が提案されている（例えば、特許文献１および２参照）。
【０００４】
特許文献１および２では、一対の電極間に複数の液晶層を設けた構成とし、各液晶層に含まれる液晶材料として、互いに異なるインピーダンスの液晶材料を用いている。これによって、一対の電極間に設けられた複数の液晶層を選択的に状態変化（プレーナとフォーカルコニックとの状態変化）させている。
【先行技術文献】
【特許文献】
【０００５】
【特許文献１】特開平１０−１７７１９１号公報
【特許文献２】特開平１０−２０６８８２号公報
【発明の概要】
【発明が解決しようとする課題】
【０００６】
本発明は、第１液晶層と前記第２液晶層との誘電率が異なるように誘電性を有する添加剤を含有しない場合に比べ、４色以上の色が表示される液晶表示素子および液晶表示装置を提供することを目的とする。
【課題を解決するための手段】
【０００７】
上記課題は、以下の本発明によって達成される。
即ち、請求項１に係る発明は、
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有する第２液晶層と、
を備え、
前記第１液晶層および前記第２液晶層の少なくとも一方に、前記第１液晶層と前記第２液晶層との誘電率が異なるように誘電性を有する添加剤を含有する液晶表示素子である。
【０００８】
請求項２に係る発明は、
前記添加剤が、ＢａＴｉＯ３、ＳｒＴｉＯ３、ＣａＳｎＯ３、ＢａＳｎＯ３、ＢａＺｒＯ３、ＴｉＯ２、ＭｇＴｉＯ３、ＨｆＯ２およびロッシェル塩から選択される少なくとも一種である請求項１に記載の液晶表示素子である。
【０００９】
請求項３に係る発明は、
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有し、且つ前記第１液晶層とは誘電率が異なる第２液晶層と、
前記第１電極および前記第２電極に電圧を印加する電圧印加装置と、
を備え、
前記第１液晶層および前記第２液晶層の少なくとも一方が、誘電性を有する添加剤を含有してなる液晶表示装置である。
【００１０】
請求項４に係る発明は、
前記電圧印加装置によって印加される電圧の周波数を制御する周波数制御装置を備える請求項３に記載の液晶表示装置である。
【００１１】
請求項５に係る発明は、
片面に第１電極を有する第１基板と、
片面に透明な第２電極を有し、該第２電極が前記第１電極に対向するように前記第１基板に対向配置された透明な第２基板と、
前記第１基板および前記第２基板によって挟まれた領域に形成され、液晶組成物を含有する第１液晶層と、
前記第１基板および前記第２基板によって挟まれた領域において、前記第１液晶層よりも前記第２基板側に形成されたカラーフィルタと、
前記第１基板および前記第２基板によって挟まれた領域において、前記カラーフィルタよりも前記第２基板側に形成され、液晶組成物を含有し、且つ前記第１液晶層とは誘電率が異なる第２液晶層と、を備え、
前記第１液晶層および前記第２液晶層の少なくとも一方が、誘電性を有する添加剤を含有してなる液晶表示素子に対し、
前記第１電極および前記第２電極に印加する電圧の大きさを制御して求められる色の画像を表示する画像表示方法である。
【００１２】
請求項６に係る発明は、
前記第１電極および前記第２電極に印加する電圧の周波数を制御して求められる色の画像を表示する請求項５に記載の画像表示方法である。
【発明の効果】
【００１３】
請求項１に係る発明によれば、複数種類の液晶組成物を用いることなく、４色以上の色が表示される液晶表示素子が提供される。
【００１４】
請求項２に係る発明によれば、添加剤の種類を考慮しない場合に比べ、第１液晶層と第２液晶層との誘電率が容易に調整される。
【００１５】
請求項３に係る発明によれば、本構成を有しない場合に比べ、４色以上の色が表示される液晶表示装置が提供される。
【００１６】
請求項４に係る発明によれば、周波数を制御しない場合に比べ、コントラストに優れた色が表示される液晶表示装置が提供される。
【００１７】
請求項５に係る発明によれば、本構成を有しない場合に比べ、４色以上の色が表示される。
【００１８】
請求項６に係る発明によれば、周波数を制御しない場合に比べ、コントラストに優れた色が表示される。
【図面の簡単な説明】
【００１９】
【図１】本実施形態における液晶表示素子および液晶表示装置の一例を示す構成図である。
【図２】液晶層の一例を示す模式図である。
【図３】コレステリック液晶の分子配向と光学特性の関係を示す模式説明図であり、（Ａ）は、プレーナ状態、（Ｂ）は、フォーカルコニック状態、（Ｃ）は、ホメオトロピック状態を示す模式図である。
【図４】コレステリック液晶層の電気光学応答を示すグラフである。
【図５】一対の電極に印加した電圧と各液晶層の正規化反射率との関係を示すグラフである。
【図６】本実施形態における、一対の電極に印加した電圧と反射率との関係を示すグラフである。
【図７】本実施形態における、一対の電極に電圧を印加した際の画像濃度（ａ＊およびｂ＊の値）を表すグラフである。
【発明を実施するための形態】
【００２０】
以下、本発明の好ましい実施形態について詳細に説明する。
【００２１】
＜液晶表示素子および液晶表示装置＞
本実施形態に係る液晶表示素子は、片面に第１電極を有する第１基板と、片面に透明な第２電極を有し、該第２電極が前記第１電極に対向するように前記第１基板に対向配置された透明な第２基板と、前記第１基板および前記第２基板によって挟まれた領域に形成され、液晶組成物を含有する第１液晶層と、前記第１基板および前記第２基板によって挟まれた領域において、前記第１液晶層よりも前記第２基板側に形成されたカラーフィルタと、前記第１基板および前記第２基板によって挟まれた領域において、前記カラーフィルタよりも前記第２基板側に形成され、液晶組成物を含有する第２液晶層と、を備え、前記第１液晶層および前記第２液晶層の少なくとも一方に、前記第１液晶層と前記第２液晶層との誘電率が異なるように誘電性を有する添加剤を含有することを特徴とする。
【００２２】
また、本実施形態に係る液晶表示装置は、上記本実施形態に係る液晶表示素子の前記第１電極および前記第２電極に電圧を印加する電圧印加装置を有することを特徴とする。
【００２３】
本実施形態に係る液晶表示素子においては、第１電極および第２電極によって挟まれた領域に設けられた第１液晶層と第２液晶層とでは、誘電率が互いに異なる。従って、前記第１電極および第２電極に挟まれる領域に電圧が印加されると、前記第１液晶層と第２液晶層との各々にかかる分圧は互いに異なる値となる。これは即ち、第１液晶層および第２液晶層に含まれる液晶組成物の各々にかかる分圧が互いに異なることを表す。
このため、第１電極および第２電極に挟まれる領域に印加する電圧によって、第１液晶層および第２液晶層に含まれる液晶組成物は各々フォーカルコニック配向とプレーナ配向との状態変化が選択的に駆動（フォーカルコニック配向とプレーナ配向との状態変化）される。
【００２４】
従って、より具体的に説明すると、
（Ａ）第１液晶層：プレーナ          ／第２液晶層：プレーナ
（Ｂ）第１液晶層：フォーカルコニック／第２液晶層：プレーナ
（Ｃ）第１液晶層：フォーカルコニック／第２液晶層：フォーカルコニック
（Ｄ）第１液晶層：プレーナ          ／第２液晶層：フォーカルコニック
の４つの状態が、第１電極および第２電極に印加する電圧の大きさを調整することによって形成される。
本実施形態に係る液晶表示素子は、前述の通り、第１液晶層と第２液晶層とがカラーフィルタを介して形成されている。従って、透明である第２基板側から観察した場合、第２液晶層がプレーナ配向状態である場合の反射光はカラーフィルタを透過していない光が観察され、第１液晶層がプレーナ配向状態である場合の反射光はカラーフィルタを透過した光が観察され、第１および第２液晶層がフォーカルコニック配向状態である場合には光を反射しない。即ち、
・上記（Ａ）の場合：第１液晶層（プレーナ）による反射光（カラーフィルタを透過した光）と、第２液晶層（プレーナ）による反射光（カラーフィルタを透過していない光）との混合色が観察される
・上記（Ｂ）の場合：第２液晶層（プレーナ）による反射光（カラーフィルタを透過していない光）のみの色が観察される
・上記（Ｃ）の場合：反射光は観察されない
・上記（Ｄ）の場合：第１液晶層（プレーナ）による反射光（カラーフィルタを透過した光）のみの色が観察される。
【００２５】
即ち本実施形態に係る液晶表示素子によれば、４色以上の色の表示が可能な液晶表示素子が提供され、これは例え前記第１液晶層と第２液晶層とに同種の液晶組成物を用いたとしても達成される。
【００２６】
また、第１液晶層および第２液晶層において、本実施形態のように、誘電性を有する添加剤の添加によって各液晶層の誘電率が異なるように調整するのではなく、液晶組成物として誘電率の異なる液晶材料を選択して用い、結果的に各液晶層の誘電率を調整する方法も考えられる。しかし、誘電率の異なる液晶材料の種類は限定され、複数の液晶材料を混合することによって誘電率を調整する場合には各液晶材料の相溶性の問題もあり、各液晶層の誘電率を容易に調整することは困難であった。
【００２７】
一方、本実施形態に係る液晶表示素子においては、第１液晶層および第２液晶層の少なくとも一方に添加される誘電性を有する添加剤によって、各液晶層の誘電率を調整することから、容易に各液晶層の誘電率が異なるように調整される。
【００２８】
尚、誘電性を有する添加剤の添加によって、各液晶層の誘電率が異なるように調整する方法としては、具体的には下記の３通りの方法が挙げられる。
［１］第１液晶層および第２液晶層の何れか一方にのみ上記添加剤を添加する方法
［２］第１液晶層と第２液晶層とで添加剤の添加量が異なるように添加する方法
［３］第１液晶層と第２液晶層とで誘電性が異なる添加剤を添加する方法
上記３通りの方法の何れか一つ、或いは二つ以上を組合わせて行うことにより、第１液晶層と第２液晶層との誘電率が異なるように調整される。
【００２９】
本実施形態に係る液晶表示素子であれば、上記の通り誘電性を有する添加剤の添加によって各液晶層の誘電率を調整しているため、例え前記第１液晶層と第２液晶層とで同種の液晶組成物を用いたとしても、誘電率が異なる液晶層が形成される。
尚、前記第１液晶層と第２液晶層とには異なる液晶組成物を用いてもよいが、その場合であっても、前記第１液晶層と前記第２液晶層との誘電率が異なるように誘電性を有する添加剤を添加する必要がある。
【００３０】
尚、上記誘電性を有する添加剤を第１液晶層および／または第２液晶層に含有させる態様としては、特に限定されるものではないが、各液晶層において分散媒（例えば高分子分散媒）中に液晶組成物と前記添加剤とが分散された構成とすることが特に好ましい。また、液晶組成物はマイクロカプセルに内包された構成でもよい。
液晶相中において、誘電性を有する添加剤が分散媒中に分散されていることにより、分散媒中に含有されていない場合に比べて、上記添加剤が分散媒中に固定されるため繰り返しの駆動による表示のばらつきが生じにくいとの利点がある。
【００３１】
なお、上述のように、各液晶層の誘電率が調整されるが、調整された後の各液晶層は、絶縁性（体積抵抗率が１×１０６Ωｍ以上１０１６Ωｍ以下の範囲、以下同じとする）であることが望ましい。各液晶層が導電性（体積抵抗率が１×１０−４Ωｍ以下、以下同じとする）であると、第１電極および第２電極ではさまれた領域に電圧が印加されたときに、該電極間に設けられた第１液晶層および第２液晶層における上記状態変化が生じなくなる場合がある。
【００３２】
また、前記第１液晶層と前記第２液晶層との誘電率の比率（より誘電率が低い層：より誘電率が高い層）が１：２乃至１：１０であることが好ましい。前記第１液晶層と前記第２液晶層との誘電率の比率が上記範囲であることにより、４色以上の色が表示される液晶表示素子が容易に提供される。
【００３３】
（液晶表示素子および液晶表示装置の具体的態様）
以下、本実施形態における液晶表示素子および液晶表示装置の一の形態を具体的に説明する。
【００３４】
図１に示すように、本実施形態に係る液晶表示装置１７は、液晶表示素子１０と、液晶表示素子１０に画像を書き込む書込装置１１と、を含んで構成されている。
【００３５】
液晶表示素子１０は、基板１２と基板１５とで挟まれる領域に表示素子２４が積層された構成とされている。なお、本実施形態では、液晶表示素子１０には電極間に複数の液晶層の積層された構成の表示素子２４（詳細後述）が少なくとも１つ設けられた構成であればよく、該表示素子２４が２つ以上設けられた構成であってもよい。
【００３６】
表示素子２４は、電極１６Ａと電極１６Ｂとで挟まれた領域に、遮光層２２、液晶層２０Ａ、カラーフィルタ２１および液晶層２０Ｂが積層されて構成されている。
【００３７】
液晶層２０Ａ、液晶層２０Ｂは、各々、電場によって光の反射状態および透過状態を変調する機能を有し、且つ選択した状態が無電場で保持される。以下、液晶層２０Ａ、液晶層２０Ｂを総称する場合には、液晶層２０と称して説明する。
【００３８】
なお、本実施形態では、図１に示すように、表示素子２４には、一対の電極（電極１６Ａおよび電極１６Ｂ）で挟まれる領域に２層の液晶層（表示素子２４における液晶層２０Ａおよび液晶層２０Ｂ）がカラーフィルタ２１を介して設けられている場合を説明するが、添加剤の添加によって各々の液晶層における誘電率が異なるように調整されていればよく、１対の電極で挟まれる領域に、ｎ層（ｎ＝３以上）層の液晶層が、ｎ−１層のカラーフィルタを介するように構成されていてもよい。
【００３９】
液晶層２０は、図２に示すように、内部に液晶（液晶組成物）４２が分散媒４０中に分散された構成とされている。なお、液晶はマイクロカプセル４４に内包された構成でもよい。
【００４０】
・液晶
液晶層２０に用いられる液晶４２としては、電場によって光の反射状態および透過状態を変調する機能を有し、且つ選択した状態が無電場で保持される物であれば、特に限定されず公知のものが用いられる。中でも、液晶４２としては、コレステリック液晶、強誘電液晶、反強誘電液晶がより好適に用いられる。
【００４１】
コレステリック液晶は、図３（Ａ）に示すように、螺旋軸がセル表面に垂直になり、入射光に対して上記の反射現象を起こすプレーナ、同図（Ｂ）に示すように、螺旋軸がほぼセル表面に平行になり、入射光を少し前方散乱させながら透過させるフォーカルコニック、および同図（Ｃ）に示すように、螺旋構造がほどけて液晶ダイレクタが電界方向を向き、入射光をほぼ完全に透過させるホメオトロピック、の３つの状態を示す。
【００４２】
上記の３つの状態のうち、プレーナおよびフォーカルコニックは、無電圧で双安定に存在する。したがって、コレステリック液晶の配向状態は、該液晶層２０を挟む電極に印加された電圧に対して一義的に決まらず、プレーナが初期状態の場合には、印加される電圧の増加に伴って、プレーナ、フォーカルコニック、ホメオトロピックの順に変化し、フォーカルコニックが初期状態の場合には、印加される電圧の増加に伴って、フォーカルコニック、ホメオトロピックの順に変化する（図４参照）。
【００４３】
一方、液晶層２０にかかる分圧が急激にゼロとなった場合には、プレーナとフォーカルコニックはそのままの状態を維持し、ホメオトロピックはプレーナに変化する特性を有している（図４参照）。このため、液晶層２０は、最終的な相状態としては、プレーナ（反射状態）、またはフォーカルコニック（透過状態）が選択される。
【００４４】
詳細には、電極に電圧を印加した後に電圧印加を解除することで、液晶層２０にかかっていた分圧が急激にゼロとされたときの液晶層２０は、図４に示すスイッチング挙動を示す。電圧印加解除前に電極（電極１６Ａおよび電極１６Ｂ）に印加されていた電圧がＶｆｈ（上側閾値電圧）以上のときには、電圧印加解除後にはコレステリック液晶はホメオトロピックからプレーナに変化した選択反射状態となり、Ｖｐｆ（下閾値電圧）以上Ｖｆｈ未満のときには、フォーカルコニックによる透過状態となり、Ｖｐｆ未満のときには、電圧印加前の状態を継続した状態、すなわちプレーナによる選択反射状態またはフォーカルコニックによる透過状態となる。
【００４５】
なお、図４中、縦軸は正規化光反射率であり、最大光反射率を１００、最小光反射率を０として、光反射率を正規化している。また、プレーナ、フォーカルコニックおよびホメオトロピックの各状態には、遷移領域が存在するため、正規化光反射率が５０以上の場合を選択反射状態、正規化光反射率が５０未満の場合を透過状態と定義し、プレーナとフォーカルコニックの状態変化の閾値の電圧を上側閾値電圧Ｖｐｆとし、フォーカルコニックとホメオトロピックの状態変化の閾値の電圧を下側閾値電圧Ｖｆｈとした。
そして、本実施形態では「フォーカルコニックとホメオトロピックとの状態変化の閾値」とは、この上側閾値電圧Ｖｐｆおよび下側閾値電圧Ｖｆｈを示している。
【００４６】
コレステリック液晶は、光学活性化合物を含む液晶材料であり、１）ネマチック液晶にカイラル剤と呼ばれる光学活性化合物等を添加する方法、２）コレステロール誘導体などのようにそれ自身光学活性な液晶材料を用いる方法などによって得られる。前者の場合、ネマチック液晶材料としては、シアノビフェニル系、フェニルシクロヘキサン系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知のネマチック液晶含有組成物が利用される。カイラル剤としてはコレステロール誘導体や、２−メチルブチル基などの光学活性基を有する化合物等が利用される。
【００４７】
尚、コレステリック液晶には、色素、粒子などの添加物を加えてもよい。また、架橋性高分子や水素結合性ゲル化剤などを用いてゲル化したものでもよく、また、高分子液晶、中分子液晶、低分子液晶のいずれでもよく、またこれらの混合物でもよい。コレステリック液晶の螺旋ピッチは、カイラル剤の種類や添加量、液晶の材質によって変化させることが可能である。選択反射の波長は可視波長域の他、紫外波長域や赤外波長域でもよい。
【００４８】
本態様においては、液晶は、粒子化した後に分散媒４０中に分散される。
粒子化方法としては、少なくともコレステリック液晶からなる分散相を、分散相と相溶しない連続相、例えば、水相中にドロップ状に乳化分散させる方法が挙げられる。乳化手段としては、分散相と連続相とを混合した後、ホモジナイザーなどの機械的な剪断力で分散相を微小な液滴として分散させる方法や、分散相を連続相中に多孔質膜を通して押出し、微小な液滴として分散させる膜乳化法やマイクロチャネル法などを採用される。特に後者の膜乳化法やマイクロチャネル法は、乳化液滴の粒径ばらつきが小さくなった液晶ドロップを形成し得るため好ましい。なお、乳化時の連続相中に、乳化を安定させるための界面活性剤や保護コロイドを混合しておいてもよい。
【００４９】
・マイクロカプセル
また本態様においては、液晶４２はマイクロカプセル４４で内包されてもよく、その材料としては、高分子材料が用いられる。
マイクロカプセル４４を構成する高分子材料としては、例えば、ポリビニルブチラール樹脂、ポリビニルホルマール樹脂、ブチラールの一部がホルマールやアセトアセタール等で変性された部分アセタール化ポリビニルブチラール樹脂等のポリビニルアセタール系樹脂、スチレン、メチルスチレン、ジメチルスチレン、トリメチルスチレン、エチルスチレン等を重合して得られるポリスチレン系樹脂、ポリメタクリル酸メチル、ポリメタクリル酸エチル、ポリメタクリル酸ブチル、ポリメタクリル酸２−エチルヘキシル、ポリメタクリル酸ラウリル等のメタクリル酸エステル系重合体、ポリアリレート樹脂(ビスフェノールＡとフタル酸の重縮合体等)、ポリカーボネート樹脂、ポリエステル樹脂、変性エーテル型ポリエステル樹脂、フェノキシ樹脂、ポリ塩化ビニル樹脂、ポリ塩化ビニリデン樹脂、ポリ酢酸ビニル樹脂、尿素−ホルムアルデヒド樹脂、メラミン−ホルムアルデヒド樹脂、アクリル樹脂、メタクリル樹脂、ポリアクリルアミド樹脂、ポリアミド樹脂、ポリビニルピリジン樹脂、セルロース系樹脂、ポリウレタン樹脂、クマリン樹脂、テンペル樹脂、フェノール樹脂、メラミン樹脂、エポキシ樹脂、シリコン樹脂、ポリビニルアルコール樹脂、ポリビニルピロリドン樹脂、塩化ビニル−酢酸ビニル共重合体、ヒドロキシル変性塩化ビニル−酢酸ビニル共重合体、カルボキシル変性塩化ビニル−酢酸ビニル共重合体、塩化ビニル−酢酸ビニル−無水マレイン酸共重合体等の塩化ビニル−酢酸ビニル系共重合体、スチレン−ブタジエン共重合体、塩化ビニリデン−アクリロニトリル共重合体、スチレン−アルキッド樹脂、シリコーン−アルキッド樹脂、フェノール−ホルムアルデヒド、ゼラチン等のポリペプチドなどが挙げられる。これらの高分子は、１種単独で使用してもよく、２種以上を併用してもよい。
これらの中でも、ポリウレタン樹脂とメラミン樹脂が好適に用いられる。
【００５０】
上記高分子から構成されたマイクロカプセル４４中に液晶４２を内包する方法としては、マイクロカプセル法が挙げられる。
【００５１】
上記マイクロカプセル法としては、１）液晶４２を分散した高分子水溶液を相分離させて液晶４２の液晶滴表面にマイクロカプセル４４としての皮膜を形成する相分離法、２）高分子と液晶４２とを共通溶媒に溶解して、これを水相中に分散して溶媒を蒸発させる液中乾燥法、３）液晶４２と油溶性モノマーＡとの混合溶液（油相液）を水相中に分散して、これに水溶性モノマーＢを添加して、モノマーＡとモノマーＢとを界面重合反応させて皮膜を形成する界面重合法、４）液晶４２中または水相中にモノマーを溶解して加熱等によって重合させて析出した高分子でマイクロカプセル４４としての皮膜を形成するｉｎ  ｓｉｔｕ重合法などが利用される。
【００５２】
−相分離法−
相分離法では、上記に挙げたマイクロカプセル４４を構成する高分子として、２種類の水溶性高分子；例えば、ゼラチンとアラビアゴム、たんぱく質と多糖類、たんぱく質とたんぱく質、たんぱく質と核酸、多糖類と核酸などの水溶液を、ｐＨや温度を制御して濃厚相と希薄相に相分離させるコンプレックス・コアセルベーション法や、ポリビニルアルコールやゼラチンやアルキルセルロースなどの水溶性高分子溶液に、水と相溶する有機溶媒；例えば、アルコールやアセトンなどを添加して相分離させるシンプル・コアセルベーション法が利用される。
【００５３】
−液中乾燥法−
液中乾燥法では、上記に挙げたマイクロカプセル４４を構成する高分子を液晶と共に低沸点溶媒に溶解し、これを水相中に分散し、減圧または加熱して溶媒を揮発させる方法などが利用される。
【００５４】
−界面重合法−
界面重合法では、油溶性モノマーＡとしては、塩基酸ハライド、ハロホルメート、イソシアネート、イソチオシアネート、ケテン、カルボジイミド、エポキシ、グリシジルエーテル、オキサゾリン、エチレンイミン、ラクトンなどの官能基を複数有する多価化合物が、水溶性モノマーＢとしては、アミン、アルコール、カルボン酸、メルカプタン、フェノールなどの官能基を複数有する多価化合物が利用される。
【００５５】
−ｉｎ  ｓｉｔｕ重合法−
ｉｎ  ｓｉｔｕ重合法では、１）油溶性のモノマーＡとモノマーＣとを重合させる方法や、２）ラジカル重合性モノマー等の単独で重合可能なモノマーＤを利用する方法などで行う。１）の場合、モノマーＡとしては界面重合法の項で述べたモノマーＡが利用され、塩基酸ハライド、ハロホルメート、イソシアネート、イソチオシアネート、ケテン、カルボジイミド、エポキシ、グリシジルエーテル、オキサゾリン、エチレンイミン、ラクトンなどの官能基を１分子内に複数有する多価化合物が利用される。モノマーＣとしては、アミン、アルコール、カルボン酸、メルカプタン、フェノールなどの官能基を１分子内に複数有する多価化合物が利用される。２）の場合、モノマーＤとしては、多価エポキシ化合物、多価イソシアネート化合物、不飽和炭化水素化合物；例えば、スチレン、イソプレン、ブタジエン、塩化ビニル、塩化ビニリデン、アクリロニトリル、アクリル酸誘導体、メタクリル酸誘導体などが利用される。また、水相から壁材を形成することもでき、この場合はメラミン／ホルムアルデヒドなどの水溶性モノマーを利用する。
【００５６】
・分散媒
また、分散媒４０としては、液晶４２を保持し、液晶表示素子１０の変形による液晶４２の流動（画像の変化）を抑制する機能を有するものであり、液晶４２の構成材料に溶解せず、また該構成材料と相溶しない液体を溶剤とする高分子材料が好適に用いられる。また、分散媒４０としては、外力に耐える強度をもち、透明材料であることが望まれる。
【００５７】
上記特性を有する分散媒４０としては、水溶性高分子材料、たとえばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマーや、あるいは水性エマルジョン化される材料、たとえばフッ素樹脂、シリコーン樹脂、アクリル樹脂、ウレタン樹脂、エポキシ樹脂、または、ポリエステル樹脂、ポリアミド樹脂、オレフィン樹脂、ビニル樹脂、フェノール樹脂、尿素樹脂などの樹脂や、ガラス、セラミックなどが利用される。
【００５８】
なお、この分散媒４０は、最終組成物ではなく、その前駆体の形で用いてもよい。例えば、樹脂であればモノマーやオリゴマーの形態で、ガラスやセラミックであれば金属アルコキシドなどのゾル−ゲル材料の形態で使用してもよい。この場合、液晶表示素子１０の形成工程において、基板上に液晶層２０の構成材料を塗布した後に、加熱、紫外線照射、電子線照射などの硬化処理によって、分散媒４０の前駆体を最終組成物へ転換する工程が必要となる。
【００５９】
・誘電性を有する添加剤
ここで、上述のように、本実施形態に係る液晶表示素子１０においては、一対の電極（電極１６Ａおよび電極１６Ｂ）によって挟まれた領域に設けられた複数の液晶層である液晶層２０Ａおよび液晶層２０Ｂの誘電率が互いに異なる。
【００６０】
この一対の電極によって挟まれた領域に設けられた複数の液晶層の誘電率を、互いに異なる値に調整するため、本実施形態においては、液晶層２０Ａおよび液晶層２０Ｂの少なくとも何れか一方に誘電性を有する添加剤（以下、単に「誘電体」と称する場合がある）を添加する。すなわち、一対の電極によって挟まれた領域に設けられた複数の液晶層２０（液晶層２０Ａおよび液晶層２０Ｂ）に含まれる誘電体の種類、および誘電体の含有量等を調整することによって、液晶層２０Ａと液晶層２０Ｂとの誘電率が異なる値となるように調整される。
【００６１】
なお、一対の電極によって挟まれた領域に設けられた複数の液晶層（液晶層２０Ａおよび液晶層２０Ｂ）の全てに誘電体を添加し、その添加量や誘電体の種類を調整することで、結果的に複数の液晶層の誘電率が異なる値となるように調整してもよいし、液晶層２０Ａおよび液晶層２０Ｂの内の何れか一方にのみ誘電体を添加することで複数の液晶層の誘電率が異なる値となるように調整してもよい。
【００６２】
尚ここで、上記誘電体における「誘電性を有する」とは、上記誘電体が液晶層２０Ａまたは液晶層２０Ｂに含まれる液晶組成物よりも高い誘電率を有することを表し、具体的には、誘電率が８．８５４×１０−１０Ｆ／ｍ以上であることが好ましい。
【００６３】
またここで、液晶層２０Ａおよび液晶層２０Ｂの誘電率、並びに前記誘電体の誘電率を測定する方法について説明する。該誘電率は、下記方法によって測定され、本明細書に記載の数値は該方法により測定されたものである。
上記誘電率は、一般的なインピーダンスメータ、ＬＣＲメータにより測定される。測定温度にサンプルを保ち、周波数ごとの過渡電流を測定し、等価回路に回帰させて静電容量を算出し、膜厚と面積から誘電率へと導く。
【００６４】
誘電性を有する添加剤（誘電体）としては、具体的には、ＢａＴｉＯ３、ＳｒＴｉＯ３、ＣａＳｎＯ３、ＢａＳｎＯ３、ＢａＺｒＯ３などのチタン酸バリウム系強誘電体、ジルコン酸チタン酸鉛系、ＴｉＯ２、ＭｇＴｉＯ３、ＨｆＯ２およびロッシェル塩などが挙げられる。中でも、誘電率が非常に大きいことから、チタン酸バリウム系強誘電体を用いることが望ましい。
【００６５】
上記誘電体の粒径は重要である。誘電体の粒径が大きいと得られる液晶層２０の透明性が失われてしまう。そのため、誘電体の体積平均粒径は５ｎｍ以上１００ｎｍ以下であることが望ましい。上記範囲であることにより、添加剤による光散乱の発生が抑制される。
【００６６】
この誘電体の体積平均粒径の測定は、ナノトラック粒度分布測定装置  ＵＰＡ−ＥＸ１５０（日機装（株）製）を用い、動的光散乱法により、得られた誘電体分散物の体積平均粒径を測定した。測定条件は、誘電体の分散物１０μｌに水１０ｍｌを加えて希釈して調整したサンプルを２５℃で測定した。
【００６７】
上記誘電体を液晶層２０Ａおよび／または液晶層２０Ｂ中に含有させる態様としては、分散媒４０中に分散させる方法が特に好ましい。分散媒４０中に分散させる方法としては、通常の分散方法が制限なく用いられる。
【００６８】
なお、誘電率の高い液晶層２０を得るためには、分散媒４０に多くの誘電体を含有させることが好ましいが、液晶層２０自体は、透明性を失わない範囲で添加量を調整することが望ましい。
【００６９】
具体的には、液晶層２０中に含まれる誘電体の含有量は、８０％以下（体積比率）であることが望ましく、２０％以下であることがより望ましい。
【００７０】
・液晶層の形成方法
液晶層２０の形成方法としては、スクリーン印刷、凸版印刷、凹版印刷、平板印刷、フレクソ印刷などの印刷法や、スピン塗布法、バー塗布法、ディップ塗布法、ロール塗布法、ナイフ塗布法、ダイ塗布法などの塗布法を用い、各々の方法に適した印刷装置、塗布装置等を用いて行えばよい 
液晶層２０の層厚としては５μｍ以上３０μｍ以下とすることが望ましい。
【００７１】
・カラーフィルタ
カラーフィルタ２１とは、「可視光の内ある波長の光を吸収し、且つその他の波長の光を透過する機能を有するフィルタ」であり、カラーフィルタを透過した光が特定の色を有する光となるフィルタを表す。
【００７２】
カラーフィルタ２１としては、アクリル樹脂やゼラチン膜を顔料や染料で染色した膜などが用いられる。
具体的には、カラーフィルタを形成する材料としては、例えば、アルカリ可溶性ポリマ、光開始材、光重合性アクリルモノマーの混合物等が挙げられる。
【００７３】
また、カラーフィルタを染色する顔料や染料としては、例えば、Ｃ．Ｉ．Ｐｉｇｍｅｎｔシリーズ（ＤＩＣ）等が挙げられる。
【００７４】
尚、カラーフィルタを形成する方法としては、上記組成物を含むカラーフィルタ形成用塗布液を塗布・乾燥することによって形成する方法など、公知の方法によって形成される。上記カラーフィルタ形成用塗布液としては、例えば市販品として、日立化成社製のＰＤシリーズ等が挙げられる。
【００７５】
・基板
基板１２および基板１５は、絶縁性を有している。また、少なくとも基板１２は、透明（波長３８０ｎｍ以上７８０ｎｍ以下の光の８０％以上を透過する）とされている。
【００７６】
基板１２、基板１５には、ガラスおよびシリコン等の無機シート、ポリエチレンテレフタレート、ポリスルホン、ポリエーテルスルホン、ポリカーボネート、またはポリエチレンナフタレート等の高分子フィルムが好適に用いられる。
【００７７】
・電極
電極１６Ａ、電極１６Ｂは、導電性（体積抵抗で２０００Ωｃｍ以下、以下これに準ずる）を有する。また、少なくとも電極１６Ａは透明とされている。
【００７８】
電極１６Ａ、電極１６Ｂには、ＩＴＯ（Ｉｎｄｉｕｍ  Ｔｉｎ  Ｏｘｉｄｅ）、Ａｕなどの金属膜、ＳｎＯ２、ＺｎＯ等の酸化物、ポリピロールなどの導電性高分子の膜などの電気導電体が用いられる。これらの電極１６Ａ、電極１６Ｂは、スパッタリング、印刷、ＣＶＤ、蒸着などにより設けられる。
【００７９】
・遮光層
遮光層２２は、電極１６Ａと電極１６Ｂとに挟まれている液晶層２０に画像が表示された際に、液晶表示素子１０の非表示面側（図１では、液晶表示素子１０の矢印Ｘに対して反対側）から入射される外光と、表示画像とを光学分離し、画質の劣化を抑制する。
【００８０】
遮光層２２には、外部光源からの光や入射光、外光の波長の光などを吸収する材料が用いられ、例えば顔料を分散した樹脂、染料を溶解した樹脂、染料で染色した樹脂などの樹脂色材が利用される。
【００８１】
上記のように構成された液晶表示素子１０の表示素子２４では、制御部３９の制御によって電圧印加部２８Ａが制御されて、電圧印加部２８Ａから電極１６Ａおよび電極１６Ｂ間に電圧が印加されると、電極１６Ａと電極１６Ｂとで挟まれた領域に積層された各層には、それぞれの分圧が印加される。このとき、本実施形態では上記に説明したように、電極１６Ａと電極１６Ｂとで挟まれた領域に設けられた複数の液晶層としての液晶層２０Ａおよび液晶層２０Ｂは各々誘電率が互いに異なる。このため、液晶層２０Ａに係る分圧と、液晶層２０Ｂに係る分圧は異なる値となる。
【００８２】
例えば、液晶層２０Ａおよび液晶層２０Ｂの内の、液晶層２０Ｂにのみ上記に説明した誘電体が含有されているとする。この場合には、液晶表示素子１０の電極１６Ａおよび電極１６Ｂに印加した電圧と、液晶表示素子１０の液晶層２０Ａにおける正規化反射率との関係は、図５に示す線図６０Ｂの関係を示し、該電極１６Ａおよび電極１６Ｂに印加した電圧と、液晶表示素子１０の液晶層２０Ｂにおける正規化反射率との関係は、図５に示す線図６０Ｇの関係となる。
【００８３】
すなわち、液晶層２０Ａおよび液晶層２０Ｂにおける液晶組成物として同種の液晶を用いた場合であれば、誘電体の添加による誘電率の調整を行なわなかった場合には、液晶層２０Ａおよび液晶層２０Ｂにおけるフォーカルコニックとホメオトロピックとの状態変化の閾値である上側閾値、およびプレーナとフォーカルコニックとの状態変化の閾値である下側閾値は、各々同じ値となると考えられる。
一方、本実施形態に係る液晶表示素子１０では、液晶層２０Ａと液晶層２０Ｂとの各々において、誘電体の添加によって誘電率が互いに異なる値となるように調整されている。このため、図５に示すように、誘電体が添加されることで誘電率が高く調整された液晶層２０Ｂにおける、フォーカルコニックとホメオトロピックとの状態変化の閾値である上側閾値としての電圧値Ｇ２と、誘電体が非添加である液晶層２０Ａにおけるフォーカルコニックとホメオトロピックとの状態変化の閾値である上側閾値としての電圧値Ｂ２とは、異なる値（図５ではＢ２＜Ｇ２の関係）となり、これらの閾値の差が容易に増大することとなる。
【００８４】
また、図５に示すように、誘電体が添加されることで誘電率が高く調整された液晶層２０Ｂにおける、プレーナとフォーカルコニックとの状態変化の閾値である下側閾値としての電圧値Ｇ１と、誘電体が非添加である液晶層２０Ａにおける該状態変化の閾値である下側閾値としての電圧値Ｂ２とは、異なる値（図５ではＢ１＜Ｇ１）となり、これらの閾値の差が容易に増大することとなる。
【００８５】
このため、電極１６Ａおよび電極１６Ｂに挟まれる領域に印加する電圧の大きさを制御することによって、液晶層２０Ａおよび液晶層２０Ｂに含まれる液晶組成物は各々フォーカルコニック配向とプレーナ配向との状態変化が選択的に駆動（フォーカルコニック配向とプレーナ配向との状態変化）される。即ち、電圧の大きさの調整により、以下の４つの状態が存在しうる。
（Ａ）第１液晶層：プレーナ          ／第２液晶層：プレーナ
（Ｂ）第１液晶層：フォーカルコニック／第２液晶層：プレーナ
（Ｃ）第１液晶層：フォーカルコニック／第２液晶層：フォーカルコニック
（Ｄ）第１液晶層：プレーナ          ／第２液晶層：フォーカルコニック
【００８６】
ここで、カラーフィルタ２１として、赤色カラーフィルタを用いた場合に基板１２側から観察される色について具体的に説明する。尚、駆動電圧と反射率との関係を示すグラフを図６に基板１２側の濃度を濃度計（Ｘ−Ｒｉｔｅ社製、Ｘ−Ｒｉｔｅ４０４Ａ）によって測定した結果（ａ＊およびｂ＊の値）を表すグラフを図７に示す。
・上記（Ａ）の場合：液晶層２０Ｂ（プレーナ）による反射光（カラーフィルタを透過した光）と、液晶層２０Ａ（プレーナ）による反射光（カラーフィルタを透過していない光）との混合色、つまり「白色（より正確には赤みがかった白色）」が観察される。
・上記（Ｂ）の場合：液晶層２０Ａ（プレーナ）による反射光（カラーフィルタを透過していない光）のみの色、つまり「グレイ（より正確には赤みがかったグレイ）」が観察される。
・上記（Ｃ）の場合：液晶層２０Ａ、液晶層２０Ｂ共にフォーカルコニック配向であり反射光は無く、遮光層の色、つまり「黒色」が観察される。
・上記（Ｄ）の場合：液晶層２０Ｂ（プレーナ）による反射光（カラーフィルタを透過した光）のみの色、つまり「赤色」が観察される。
【００８７】
即ち本実施形態に係る液晶表示素子によれば、４色以上の色の表示が可能な液晶表示素子が提供され、これは例え液晶層２０Ａと液晶層２０Ｂとに同種の液晶組成物を用いたとしても達成される。
【００８８】
なお、本実施形態では、一対の電極に挟まれる領域に積層された複数の液晶層（液晶層２０Ａおよび液晶層２０Ｂ）の誘電率が互いに異なるように調整する場合を説明したが、さらに、各液晶層に含まれる液晶４２の構成材料（液晶材料）を選択することによって、液晶４２自体の誘電率が異なるように更に調整してもよい。
【００８９】
なお、本実施形態では、一対の電極に挟まれる領域に設けられた複数の液晶層として、２層の液晶層２０Ａおよび液晶層２０Ｂが設けられている場合を説明した。しかし、複数の液晶層は、各液晶層の誘電率が互いに異なるように調整されていればよく、３層以上の液晶層を有し、且つ各液晶層が、それぞれ色の異なるカラーフィルターによって分離されている態様であってもよい。
【００９０】
・書込装置および液晶表示装置
次に、上記液晶表示素子１０に画像を書き込む書込装置１１、および液晶表示素子１０および書込装置１１を備えた液晶表示装置１７について説明する。
【００９１】
図１に示すように、液晶表示装置１７は、書込装置１１および上記液晶表示素子１０を備えている。書込装置１１は、制御部３９および電圧印加部２８を含んで構成されている。電圧印加部２８は、制御部３９に信号授受可能に接続されている。
【００９２】
なお本実施形態では、電圧印加部２８が、電圧印加装置に相当する。
【００９３】
制御部３９は、ＣＰＵ（中央演算処理装置）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）を含むマイクロコンピュータとして構成されており、書込装置１１内の装置各部を制御する。
【００９４】
電圧印加部２８は、電圧印加部２８Ａを含んで構成されている。電圧印加部２８Ａは、液晶表示素子１０の電極１６Ａおよび電極１６Ｂに信号授受可能に接続されており、電極１６Ａおよび電極１６Ｂに電圧を印加する。
【００９５】
書込装置１１には、液晶表示素子１０を装着するためのスロット（図示省略）が設けられており、このスロット（図示省略）に液晶表示素子１０が装着されることで、スロット（図示省略）に設けられたコネクタ（図示省略）等を介して液晶表示素子１０の電極１６Ａおよび電極１６Ｂが電圧印加部２８Ａに電気的に接続されるように構成されている。
【００９６】
電圧印加部２８は、制御部３９から入力された信号に基づいた電圧を、液晶表示素子１０の電極１６Ａおよび電極１６Ｂに印加可能に構成されていればよいが、より速い速度表示を行う観点から、ＡＣ出力が可能であり且つ高いスルーレートを有することが望ましい。電圧印加部２８としては、例えば、バイポーラ高電圧アンプなどが用いられる。
【００９７】
上記構成の液晶表示装置１７においては、制御部３９の制御によって、電圧印加部２８により表示素子２４の電極１６Ａおよび電極１６Ｂに電圧を印加することによって、液晶表示素子１０に画像が形成される。
【００９８】
ここで、上述のように、液晶表示素子１０の一対の電極１６Ａおよび電極１６Ｂによって挟まれた領域に設けられた複数の液晶層（液晶層２０Ａおよび液晶層２０Ｂ）は、該液晶層２０Ａおよび液晶層２０Ｂが互いに異なる誘電率となるように調整されている。このため、一対の電極によって挟まれた領域に設けられた複数の液晶層（液晶層２０Ａおよび液晶層２０Ｂ）の、フォーカルコニックとプレーナとの状態変化の閾値の差が広がった状態とされている。従って、液晶表示装置１７では、電極１６Ａおよび電極１６Ｂに、各液晶層２０Ａおよび液晶層２０Ｂの印加電圧と正規化反射率との関係（図５参照）に応じて、フォーカルコニックとプレーナとの状態変化が選択的に生じる電圧値の電圧を印加することで、液晶層２０Ａおよび液晶層２０Ｂの内の何れか一方のみをフォーカルコニックへ状態変化またはプレーナへ状態変化させたり、双方をフォーカルコニックまたはプレーナへ状態変化させることが可能となる。
【００９９】
・周波数の制御
また、制御部３９によって、電圧印加部２８から電極１６Ａおよび電極１６Ｂに印加される電圧の周波数（波長）を制御することがより望ましい。ここで、図６および図７に示した（Ａ）（Ｂ）（Ｃ）および（Ｄ）の状態のいずれの場合においても、波長がある点（例えば６００ｎｍ付近）において急激に反射率が向上する現象が生じ、それ以下では反射率が低くなる。これはレッドのカラーフィルタにより６００ｎｍ付近より短波長の反射光が吸収されたためと考えられる。
【０１００】
即ち、良好な色の画像を表示するためには、（Ａ）の状態では波長が長い（周波数が低い）電圧を印加し、一方（Ｂ）（Ｃ）および（Ｄ）の状態では波長が短い（周波数が高い）電圧を印加するよう制御することがより望ましい。
【符号の説明】
【０１０１】
１０  液晶表示素子
１１  書込装置
１７  液晶表示装置
１６Ａ、１６Ｂ  電極
２０Ａ、２０Ｂ  液晶層
２１  カラーフィルタ
２２  遮光層
２８  電圧印加部
３９  制御部
【図１】
2010224387.tif 000003
【図２】
2010224387.tif 000004
【図６】
2010224387.tif 000005
【図７】
2010224387.tif 000006
【図３】
2010224387.tif 000007
【図４】
2010224387.tif 000008
【図５】
2010224387.tif 000009